(57)【特許請求の範囲】
【請求項１】
ボンベ収容部を有するハウジングと、
該ハウジング内に設けられて一方向と他方向とに移動可能であり、該他方向に移動して燃焼室を画成する燃焼室枠と、
該燃焼室内に臨み、燃焼室内に供給された可燃性ガスに点火する点火プラグと、
該点火プラグの点火動作を制御するトリガと、
該ボンベ収容部の下方に位置し、該燃焼室枠と該トリガとの間に介在し、該トリガの動作に伴い該燃焼室枠を該他方向に移動させて該燃焼室を画成させる画成部と、を備えたことを特徴とする燃焼式打込工具。
【請求項２】
ハウジングと、
該ハウジング内に設けられて一方向と他方向とに移動可能であり、該他方向に移動して燃焼室を画成する燃焼室枠と、
該燃焼室内に臨み、燃焼室内に供給された可燃性ガスに点火する点火プラグと、
該点火プラグの点火動作を制御するトリガと、
該燃焼室枠と該トリガとの間に介在し、該トリガの動作に伴い該燃焼室枠を該他方向に移動させて該燃焼室を画成させる画成部と、を備え、該画成部は該ハウジングに対して回動可能な第１アームを備えることを特徴とする燃焼式打込工具。
【請求項３】
ハウジングと、
該ハウジング内に設けられて一方向と他方向とに移動可能であり、該他方向に移動して燃焼室を画成する燃焼室枠と、
該燃焼室内に臨み、燃焼室内に供給された可燃性ガスに点火する点火プラグと、
該点火プラグの点火動作を制御するトリガと、
該燃焼室枠と該トリガとの間に介在し、該トリガの動作に伴い該燃焼室枠を該他方向に移動させて該燃焼室を画成させる画成部と、を備え、該画成部は該燃焼室枠に連結される連結部材を有し、該連結部材は一対の腕部を有することを特徴とする燃焼式打込工具。
【請求項４】
ハウジングと、
該ハウジング内に設けられて一方向と他方向とに移動可能であり、該他方向に移動して燃焼室を画成する燃焼室枠と、
該燃焼室内に臨み、燃焼室内に供給された可燃性ガスに点火する点火プラグと、
該点火プラグの点火動作を制御するトリガと、
該燃焼室枠と該トリガとの間に介在し、該トリガの動作に伴い該燃焼室枠を該他方向に移動させて該燃焼室を画成させる画成部と、
制御回路と、
を備え、該画成部は、該燃焼室枠を該一方向及び該他方向へと移動させる原動機と、該トリガの動作を感知するトリガ動作感知用コンタクトスイッチと、該トリガの動作開始を感知する開始感知用コンタクトスイッチとを有し、
該制御回路は、該開始感知用コンタクトスイッチが該トリガの動作開始を感知した場合に該原動機に通電して該燃焼室枠を該他方向へと移動させることを特徴とする燃焼式打込工具。
【請求項５】
ハウジングと、
該ハウジング内に設けられて一方向と他方向とに移動可能であり、該他方向に移動して燃焼室を画成する燃焼室枠と、
該燃焼室内に臨み、燃焼室内に供給された可燃性ガスに点火する点火プラグと、
該点火プラグの点火動作を制御するトリガと、
該燃焼室枠と該トリガとの間に介在し、該トリガの動作に伴い該燃焼室枠を該他方向に移動させて該燃焼室を画成させる画成部と、
該ハウジングの該一方向端部に設けられて止具が射出される通路を画成するテールカバーと、
該止具を複数本内蔵すると共に該テールカバーの通路に該止具を提供するマガジンと、
該テールカバーに沿って該一方向と該他方向とに移動可能であり、該一方向側に位置した状態で該止具が打ち込まれる打込部材と当接可能なワークコンタクトと、
該ワークコンタクトが該打込部材に当接すると共に該他方向に移動した時に、該ワークコンタクトと接触して該ワークコンタクトの他方向への移動を感知するワークコンタクト用コンタクトスイッチと、
該トリガの動作を感知するトリガ動作感知用コンタクトスイッチと、
該ワークコンタクト用コンタクトスイッチと該トリガ動作感知用コンタクトスイッチとの両方の動作を検知して該点火プラグへの通電を制御する制御回路と、
該トリガの動作開始を感知する開始感知用コンタクトスイッチ、とを備え、
該マガジンから該テールカバーに供給された該止具は、その先端部分が該テールカバーの先端部分より突出しており、
該制御回路は、該ワークコンタクト用コンタクトスイッチの動作を感知した後に該第トリガ動作感知コンタクトスイッチの動作を感知した場合のみ該点火プラグに通電するように構成され、
該画成部は、該燃焼室枠を該一方向及び該他方向へと移動させる原動機を備えて構成され、
該制御回路は該開始感知用コンタクトスイッチの動作を感知した場合に該原動機に通電して該燃焼室枠を該他方向へと移動可能とすることを特徴とする燃焼式打撃工具。
【請求項６】
該ハウジングの該一方向端部に設けられて止具が射出される通路を画成するテールカバーと、
該止具を複数本内蔵すると共に該テールカバーの通路に該止具を提供するマガジンと、を更に備え、
該マガジンから該テールカバーに供給された該止具は、その先端部分が該テールカバーの先端部分より突出していることを特徴とする請求項１乃至３のいずれか一に記載の燃焼式打込工具。
【請求項７】
該テールカバーに沿って該一方向と該他方向とに移動可能であり、該一方向側に位置した状態で該止具が打ち込まれる打込部材と当接可能なワークコンタクトと、
該ワークコンタクトが該打込部材に当接すると共に該他方向に移動した時に、該ワークコンタクトと接触して該ワークコンタクトの他方向への移動を感知するワークコンタクト用コンタクトスイッチと、を更に備えたことを特徴とする請求項６に記載の燃焼式打込工具。
【請求項８】
該トリガの動作を感知するトリガ動作感知用コンタクトスイッチと、
該ワークコンタクト用コンタクトスイッチと該トリガ動作感知用コンタクトスイッチとの両方の動作を検知して該点火プラグへの通電を制御する制御回路と、を更に備え、
該制御回路は、該ワークコンタクト用コンタクトスイッチの動作を感知した後に該トリガ動作感知用コンタクトスイッチの動作を感知した場合のみ該点火プラグに通電することを特徴とする請求項７に記載の燃焼式打撃工具。
【請求項９】
該制御回路はタイマを有するとともに、該点火プラグに通電されて所定の時間を該タイマで測定した後に、該原動機に通電して該燃焼室枠を該一方向へと移動させることを特徴とする請求項５に記載の燃焼式打撃工具。
【請求項１０】
該ワークコンタクト用コンタクトスイッチと該トリガ動作感知用コンタクトスイッチと該開始感知用コンタクトスイッチとは直列結線されていることを特徴とする請求項８または請求項９のいずれかに記載の燃焼式打撃工具。
【請求項１１】
該ワークコンタクトは、該打込材と当接する当接部材を有するとともに、該当接部材は、透明部材若しくは該止め具の直径以下の細幅状部材から構成されていることを特徴とする請求項１乃至５のいずれか一に記載の燃焼式打込工具。
【請求項１２】
該トリガの動作開始を感知した後に、該トリガの動作補助を行う原動機を備えたことを特徴とする請求項１乃至請求項３のいずれか一に記載の燃焼式打撃工具。
【請求項１３】
該一対の腕部は、該燃焼室枠が該一対の腕部の間に配置されるとともに、該燃焼室枠の重心を通って該一方向及び該他方向と直交する方向に延びる直線上で該燃焼室枠に接続されていることを特徴とする請求項３に記載の燃焼式打撃工具。
【発明の詳細な説明】
【技術分野】
【０００１】
本発明は打込工具に関し、特に燃焼式の打込工具に関する。
【背景技術】
【０００２】
燃焼式の打込工具、例えば燃焼式釘打機はハウジング内に燃焼室枠を備えている。燃焼室枠を押し上げることにより、燃焼室枠上方に位置するヘッドキャップに燃焼室枠が押し付けられ、燃焼室枠とヘッドキャップとで画成される空間である燃焼室が形成されている。この燃焼室内で可燃性ガスを燃焼させ、釘を打撃する動力を得ている。
【０００３】
燃焼室枠は、特許文献１〜特許文献５に示されるように、燃焼室枠と接続されるプッシュレバーが押されることにより押し上げられている。具体的には、ハウジングにおいて燃焼室枠の下方に位置する端部に配置され打ち出される釘を支持するノーズ部にプッシュレバーを配置し、ノーズ部を打込材に当接させた時に同時にプッシュレバーも打込材に当接させることにより、プッシュレバーに連動する燃焼室枠を押し上げている。
【０００４】
また打込工具を使用して、例えば木材に接続金具を取り付ける場合がある。この場合においては、接続金具に形成された孔を貫通して木材に釘等の止具を打ち込む必要があり、打込位置を正確に規定する必要がある。正確な打込を行う手段としては、特許文献６、７に示されるように、プッシュレバーが打込材と当接する位置に釘を打ち込む構造が公知となっている。
【特許文献１】特公平１−３４７５３号公報
【特許文献２】特公平４−４８５８９号公報
【特許文献３】特公平３−２５３０７号公報
【特許文献４】特公平４−１１３３７号公報
【特許文献５】特公昭６４−９１４９号公報
【特許文献６】特開平６−１９０７４５号公報
【特許文献７】特開平８−５２６６６号公報
【発明の開示】
【発明が解決しようとする課題】
【０００５】
従来の打込工具において、特許文献１〜５に係る打込工具では、正確な打込を行うことが容易ではなかった。特許文献６、７に係る打込工具では、プッシュレバーを擦るように釘が打ち込まれるため、プッシュレバーが摩耗して交換する必要があり、耐久性が劣っていた。
【０００６】
よって本発明は、正確な止具の打込が可能であると共に、高耐久性を備えた燃焼式打込機を提供することを目的とする。
【課題を解決するための手段】
【０００７】
上記課題を解決するために本発明は、ボンベ収容部を有するハウジングと、該ハウジング内に設けられて一方向と他方向とに移動可能であり、該他方向に移動して燃焼室を画成する燃焼室枠と、該燃焼室内に臨み、燃焼室内に供給された可燃性ガスに点火する点火プラグと、該点火プラグの動作を制御するトリガと、該ボンベ収容部の下方に位置し、該燃焼室枠と該トリガとの間に介在し、該トリガの動作に伴い該燃焼室枠を該他方向に移動させて該燃焼室を画成させる画成部材と、を備えた燃焼式打込工具を提供する。
本発明は更に、ハウジングと、該ハウジング内に設けられて一方向と他方向とに移動可能であり、該他方向に移動して燃焼室を画成する燃焼室枠と、該燃焼室内に臨み、燃焼室内に供給された可燃性ガスに点火する点火プラグと、該点火プラグの点火動作を制御するトリガと、該燃焼室枠と該トリガとの間に介在し、該トリガの動作に伴い該燃焼室枠を該他方向に移動させて該燃焼室を画成させる画成部と、を備え、該画成部は該ハウジングに対して回動可能な第１アームを備えた燃焼式打込工具を提供する。
本発明は更に、ハウジングと、該ハウジング内に設けられて一方向と他方向とに移動可能であり、該他方向に移動して燃焼室を画成する燃焼室枠と、該燃焼室内に臨み、燃焼室内に供給された可燃性ガスに点火する点火プラグと、該点火プラグの点火動作を制御するトリガと、該燃焼室枠と該トリガとの間に介在し、該トリガの動作に伴い該燃焼室枠を該他方向に移動させて該燃焼室を画成させる画成部と、を備え、該画成部は該燃焼室枠に連結される連結部材を有し、該連結部材は一対の腕部を有する燃焼式打込工具を提供する。
本発明は更に、ハウジングと、該ハウジング内に設けられて一方向と他方向とに移動可能であり、該他方向に移動して燃焼室を画成する燃焼室枠と、該燃焼室内に臨み、燃焼室内に供給された可燃性ガスに点火する点火プラグと、該点火プラグの点火動作を制御するトリガと、該燃焼室枠と該トリガとの間に介在し、該トリガの動作に伴い該燃焼室枠を該他方向に移動させて該燃焼室を画成させる画成部と、制御回路とを備え、該画成部は、該燃焼室枠を該一方向及び該他方向へと移動させる原動機と、該トリガの動作を感知するトリガ動作感知用コンタクトスイッチと、該トリガの動作開始を感知する開始感知用コンタクトスイッチとを有し、該制御回路は、該開始感知用コンタクトスイッチが該トリガの動作開始を感知した場合に該原動機に通電して該燃焼室枠を該他方向へと移動させる燃焼式打込工具を提供する。
本発明は更に、ハウジングと、該ハウジング内に設けられて一方向と他方向とに移動可能であり、該他方向に移動して燃焼室を画成する燃焼室枠と、該燃焼室内に臨み、燃焼室内に供給された可燃性ガスに点火する点火プラグと、該点火プラグの点火動作を制御するトリガと、該燃焼室枠と該トリガとの間に介在し、該トリガの動作に伴い該燃焼室枠を該他方向に移動させて該燃焼室を画成させる画成部と、該ハウジングの該一方向端部に設けられて止具が射出される通路を画成するテールカバーと、該止具を複数本内蔵すると共に該テールカバーの通路に該止具を提供するマガジンと、該テールカバーに沿って該一方向と該他方向とに移動可能であり、該一方向側に位置した状態で該止具が打ち込まれる打込部材と当接可能なワークコンタクトと、該ワークコンタクトが該打込部材に当接すると共に該他方向に移動した時に、該ワークコンタクトと接触して該ワークコンタクトの他方向への移動を感知するワークコンタクト用コンタクトスイッチと、該トリガの動作を感知するトリガ動作感知用コンタクトスイッチと、該ワークコンタクト用コンタクトスイッチと該トリガ動作感知用コンタクトスイッチとの両方の動作を検知して該点火プラグへの通電を制御する制御回路と、該トリガの動作開始を感知する開始感知用コンタクトスイッチ、とを備え、該マガジンから該テールカバーに供給された該止具は、その先端部分が該テールカバーの先端部分より突出しており、該制御回路は、該ワークコンタクト用コンタクトスイッチの動作を感知した後に該第トリガ動作感知コンタクトスイッチの動作を感知した場合のみ該点火プラグに通電するように構成され、該画成部は、該燃焼室枠を該一方向及び該他方向へと移動させる原動機を備えて構成され、該制御回路は該開始感知用コンタクトスイッチの動作を感知した場合に該原動機に通電して該燃焼室枠を該他方向へと移動可能とする燃焼式打撃工具を提供する。
かかる構成によると、ワークコンタクトと燃焼室枠とを接続する必要が無くなり、ワークコンタクトを動きやすくすることができる。
【０００８】
このような構成によると、燃焼室の形成に係る燃焼室枠の移動を、トリガのみの動作により行うことができる。よってプッシュレバー等の打撃工具の打込材への当接と押圧動作とにより燃焼室枠を上昇させる機構の必要がないため、押し付け力を抑えることができ、また、プッシュレバーへの衝撃がなくなり、構成部品を減らして打込機の耐久性を向上させることができる。
【０００９】
上記構成の燃焼式打込機において、該ハウジングの該一方向端部に設けられて止具が射出される通路を画成するテールカバーと、該止具を複数本内蔵すると共に該テールカバーの通路に該止具を提供するマガジンと、を更に備え、該マガジンから該テールカバーに供給された該止具は、その先端部分が該テールカバーの先端部分より突出していることが好ましい。
【００１０】
このような構成によると、止具の先端が視認しやすくなるため、打込位置へ止具を正確に配置することができる。よって止具を正確に打ち込むことができる。
【００１１】
また該テールカバーに沿って該一方向と該他方向とに移動可能であり、該一方向側に位置した状態で該止具が打ち込まれる打込部材と当接可能なワークコンタクトと、該ワークコンタクトが該打込部材に当接すると共に該他方向に移動した時に、該ワークコンタクトと接触して該ワークコンタクトの他方向への移動を感知するワークコンタクト用コンタクトスイッチと、を更に備えることが好ましい。
【００１２】
このような構成によると、打込工具が打込材に打込可能になった状態でのみ、打込を行うことが可能になる。
【００１３】
また該トリガの動作を感知するトリガ動作感知用コンタクトスイッチと、該ワークコンタクト用コンタクトスイッチと該トリガ動作感知用コンタクトスイッチとの両方の動作を検知して該点火プラグへの通電を制御する制御回路と、を更に備え、該制御回路は、該ワークコンタクト用コンタクトスイッチの動作を感知した後に該トリガ動作感知用コンタクトスイッチの動作を感知した場合のみ該点火プラグに通電してもよい。
【００１４】
このような構成によると、トリガを動作させる前に打込工具が打込材に打込可能な状態になった場合のみ、打込を行うことが可能になる。よって止具が確実に打込箇所に配置された状態を確認してから打込を行うことが可能になり、より正確な打込を行うことができる。
【００１７】
また該制御回路はタイマを有するとともに、該点火プラグに通電されて所定の時間を該タイマで測定した後に、該原動機に通電して該燃焼室枠を該一方向へと移動させることが好ましい。
【００１８】
このような構成によると、自動的に燃焼室が開放されて燃焼室内の吸排気を行うことができる。
【００１９】
また該ワークコンタクト用コンタクトスイッチと該トリガ動作感知用コンタクトスイッチと該開始感知用コンタクトスイッチとは直列結線されていることが好ましい。
【００２０】
このような構成によると、すべてのスイッチが動作しない限り、止具の打込動作が行われなくなる。よって安全性を高めることができる。
【００２１】
また該ワークコンタクトは、該打込材と当接する当接部材を有するとともに、少なくとも当接部材が針状若しくは透明部材から構成されていることが好ましい。
【００２２】
このような構成によると、ワークコンタクトが設けられていても、止具の先端の好適な視認性を確保することができる。
【００２３】
また該トリガの動作開始を感知した後に、該トリガの動作補助を行う動作補助機構を備えていてもよい。
【００２４】
このような構成によるとトリガの引き動作において、軽微な力により燃焼室枠を他方側に移動させることができる。
【００２５】
また該一対の腕部は、該燃焼室枠がその間に配置されるとともに、該燃焼室枠の重心を通って該一方向及び該他方向と直交する方向に延びる直線上で該燃焼室枠に接続されていることが好ましい。
【００２６】
このような構成によると、燃焼室枠を一方向及び他方向に移動させる際に、燃焼室枠が偏心することが抑制される。よって安定して燃焼室枠を移動させることができる。
【発明の効果】
【００２７】
本発明によれば、構成部品を少なくして耐久性を増し、かつ止具の視認性が高められた燃焼式打込工具を提供することができる。
【発明を実施するための最良の形態】
【００２８】
以下、本発明の第一の実施の形態による燃焼式打込工具について図１乃至図３に基づき説明する。図１に示される燃焼式打撃工具である釘打機１は、ハウジング２と、ハンドル３と、ノーズ部４と、画成部８と、ワークコンタクト９と、マガジン１０と、制御回路１１（図２）とから主に構成されている。尚、ハウジング２からノーズ部４に向かう一方向を下側方向と定義し、一方向と反対の他方向を上側方向と定義して以下説明する。
【００２９】
ハウジング２は、主ハウジング２１と、ボンベ収容部２２と、ヘッドカバー２３とから主に構成されている。主ハウジング２１においては、ノーズ部４近傍の位置に排気口２１ａが形成されており、内部にシリンダ５と、燃焼室枠６と、ヘッドキャップ７とが主に内蔵されている。
【００３０】
シリンダ５は、一方が略閉塞された筒状に構成されており、筒状の軸方向が上下方向と平行になるように主ハウジング２１内に配置されるとともに、後述のテールカバー４１を介して主ハウジング２１に固定されている。シリンダ５の略閉塞された一方の壁部分には、後述のブレード５２が挿通する孔５ａ形成されている。シリンダ５において上方の開口周縁部分には、燃焼室枠６の内周面と接触するシール部５Ａが設けられている。またシリンダ５において下端部分には燃焼室枠６を下方に付勢するバネ５Ｂが設けられている。
【００３１】
シリンダ５の下端部付近には主ハウジング２１の排気口２１ａと連通する排気穴５ｂが形成されている。また排気穴５ｂには、シリンダ５の内周面よりシリンダ５の外周面へ向う方向に排気を流通させる排気逆止弁５Ｃが設けられている。さらに、排気穴５ｂを覆うように排気カバー５Ｄが設けられている。
【００３２】
シリンダ５の内部には、ピストン５１とブレード５２と、バンパ５３とが内蔵されている。ピストン５１は略円板状に形成されており、複数のシール材を介してシリンダ５内周に当接してシリンダ５内空間を上下に区切っている。ブレード５２は、ピストン５１の下方に配置されており、孔５ａを貫通してシリンダ５外部に延出されている。バンパ５３は、シリンダ５内においてピストン５１の下方となる端部に配置されている。よってピストン５１が下方に移動した場合であってもバンパ５３によりピストン５１とシリンダ５の孔５ａ周辺の壁部とが直接接触することが抑制される。またバンパ５３は後述の釘１Ａを打ち込んだ際にピストン５１の衝撃を吸収している。
【００３３】
燃焼室枠６は、両端が開口した円筒状に構成されており、その円筒内にシリンダ５が配置された状態でシリンダ５に対して上下動可能に配置されている。燃焼室枠６の下方側には連結部材６Ａが一体に接続されている。連結部材６Ａの下端部分の上方にシリンダ５が位置し、連結部材６Ａの下端部分とシリンダ５との間には、バネ５Ｂが介在している。よって燃焼室枠６及び連結部材６Ａには、バネ５Ｂによりシリンダ５に対して下方側の付勢力が付加されている。燃焼室枠６の内面は、燃焼室枠６がバネ５Ｂの付勢力に反して上昇した場合に、その内周面全体に亘ってシール部５Ａと当接するように構成されている。よって燃焼室枠６が上昇した場合は、燃焼室枠６の内周面とシール部５Ａとが当接部分において気密性を保つことができる。
【００３４】
燃焼室枠６の上端部には、上方に延びる押圧ロッド６Ｂが設けられている。押圧ロッド６Ｂは、燃焼室枠６が最も上方へ移動した際に後述のＬ形レバー２２Ｃの一端を付勢するように構成されている。連結部材６Ａの下方には、画成部８が後述の第二アーム８２を介して接続されている。
【００３５】
ヘッドキャップ７は、燃焼室枠６の上方に配置されて主ハウジング２１に固定されて設けられている。ヘッドキャップ７の下面部分には、燃焼室枠６の上端部分と係合する凹部７ａが形成されており、凹部７ａを形成する面には、燃焼室枠６と係合するシール部７Ａが設けられている。
【００３６】
燃焼室枠６が上方へ移動し、凹部７ａにおいてシール部７Ａと燃焼室枠６の上端部分とが係合することにより、この係合箇所において気密性を保持することができる。この気密性が保たれることにより、シリンダ５及びシリンダ５内のピストン５１と、燃焼室枠６と、ヘッドキャップ７とにより燃焼室２ａ（図３）が画成される。
【００３７】
またヘッドキャップ７には、ファンモータ７１と、点火プラグ７３とが設けられている。ファンモータ７１は、回転軸７１Ａが上下方向と平行かつその先端が燃焼室２ａ内に突出するように配置されており、ヘッドキャップ７に弾発的に保持されている。このファンモータ７１は図示せぬ電池より電力が供給されて回転駆動される。
【００３８】
ファンモータ７１の回転軸７１Ａにはファン７２が設けられている。ファン７２が燃焼室２ａ内で回転することにより、燃焼室２ａ内に供給された可燃性ガスを攪拌して好適な混合気を形成するとともに、可燃性ガスが燃焼した排ガスを燃焼室２ａ内から好適に排出することが可能となっている。またファン７２は、ヘッドカバー２３に設けられた図示せぬ孔から新鮮な空気を取り込んでいる。
【００３９】
点火プラグ７３は、点火部分がヘッドキャップ７において燃焼室２ａを画成する面上に位置するように配置されている。よって燃焼室２ａ内に供給された可燃性ガスに点火することが可能となっている。またヘッドキャップ７においては、後述のガスボンベ２２Ａから供給される可燃性ガスを燃焼室２ａ内に導入する流路７ｂが形成されている。
【００４０】
ボンベ収容部２２は、主ハウジング２１の側部に上下方向に沿って併設されており、内部にガスボンベ２２Ａを有し、上方にＬ形レバー２２Ｃを有している。ガスボンベ２２Ａは、内部に可燃性ガスを貯留しており、上端部に設けられたノズル２２Ｂから可燃性ガスを一定量噴出可能に構成されている。ノズル２２Ｂは、その先端が流路７ｂに接続されており、ガスボンベ２２ＡがＬ形レバー２２Ｃによって主ハウジング２１側に付勢された時に可燃性ガスを流路７ｂ内に噴出することができる。
【００４１】
ボンベ収容部２２から延びるＬ形レバー２２Ｃは、断面が略Ｌ字形に構成され、ガスボンベ２２Ａの上方に配置され、回動軸２２Ｄによりボンベ収容部２２内に回動可能に取り付けられている。Ｌ形レバー２２Ｃの一端が押圧ロッド６Ｂにより押し上げられることにより、Ｌ形レバー２２Ｃが回動軸２２Ｄ回りを回動してＬ形レバー２２Ｃの他端がガスボンベ２２Ａを主ハウジング２１側に付勢することが可能となっている。
【００４２】
ボンベ収容部２２の下方側位置には、第一コンタクトスイッチ１２が配置されている。第一コンタクトスイッチ１２は、後述するワークコンタクト９の動作を感知しており、ワークコンタクト９が上昇して第一コンタクトスイッチ１２と接触した状態でＯＮ信号を出力しており、非接触の状態ではＯＦＦ信号を出力する。またボンベ収容部２２には、表示器２２Ｅ（図２）が設けられている。表示器２２Ｅは、例えばＬＥＤ等の点灯部材から構成され、第一コンタクトスイッチ１２及び後述の第二コンタクトスイッチ１３の動作状態を視認可能に表示している。
【００４３】
ヘッドカバー２３は、主ハウジング２１の上方に設けられており、ヘッドキャップ７を保護すると共に、ファンモータ７１を保持している。
【００４４】
ハンドル３は、ハウジング２においてボンベ収容部２２から上下方向と交差する方向に延出されており、トリガ３１と、第二コンタクトスイッチ１３と、制御回路１１を主に備えて構成されている。
【００４５】
トリガ３１は、ハンドル３の基端部分下方側であって第二コンタクトスイッチ１３の下方に設けられており、下方へ延びる連結部３１Ａを備えている。連結部３１Ａは、画成部８の第一アーム８１の一端に接続されている。
【００４６】
制御回路１１は、ハンドル３内に設けられており、図２に示されるように、ファンタイマー１１Ａと、ファン駆動回路１１Ｂと、表示回路１１Ｃと点火回路１１Ｄとから主に構成されている。ファンタイマー１１Ａは、第一コンタクトスイッチ１２と第二コンタクトスイッチ１３との少なくとも何れか一方からのＯＮ信号に応じ、ファン７２を回転させるファンモータ７１の駆動に係る電力の供給時間を規定している。ファン駆動回路１１Ｂは、第一コンタクトスイッチ１２と第二コンタクトスイッチ１３との少なくとも何れか一方からのＯＮ信号に応じ、ファン７２を回転させるファンモータ７１に供給される電力を供給・遮断している。表示回路１１Ｃは、第一コンタクトスイッチ１２と第二コンタクトスイッチ１３との少なくとも一方からのＯＮ信号に応じ、表示器２２Ｅを駆動している。点火回路１１Ｄは、第一コンタクトスイッチ１２と第二コンタクトスイッチ１３との双方からのＯＮ信号に応じ、点火プラグ７３に駆動電力を供給している。
【００４７】
第二コンタクトスイッチ１３は、トリガ３１の動作を感知しており、トリガ３１が上昇して第二コンタクトスイッチ１３と接触した状態でＯＮ信号を出力し、非接触の状態ではＯＦＦ信号を出力する。
【００４８】
ノーズ部４は、主ハウジング２１の下方に設けられており、主にテールカバー４１から構成されている。テールカバー４１は、主ハウジング２１に固定されていると共にシリンダ５を担持している。テールカバー４１には、孔５ａと連通する図示せぬ孔が形成されている。テールカバー４１において先端部分近傍位置には、後述のワークコンタクト９の当接部９１を案内するローラピン４２が設けられている。
【００４９】
マガジン１０は内部に複数本の釘１Ａを内蔵しており、ノーズ部４に接続されている。マガジン１０から供給された釘１Ａは、テールカバー４１において図示せぬ孔の下方に配置されている。
【００５０】
画成部８は、第一アーム８１と第二アーム８２とから主に構成されており、ボンベ収容部２２の下方位置に配置されている。第一アーム８１は、略中央部分に回動軸部８１Ａが設けられ、一端で連結部３１Ａの下端部分にピン接合されると共に、他端で第二アーム８２の一端にピン接合され、回動軸部８１Ａを介してボンベ収容部２２に設けられている。回動軸部８１Ａは、その軸方向が上下方向と略直交するようにボンベ収容部２２内に配置されている。
【００５１】
第二アーム８２は、略中央部分に回動軸部８２Ａが設けられ、一端で第一アーム８１の他端部分にピン接合されると共に、他端で連結部材６Ａの下方に位置するピン６Ｃに接続され回動軸部８２Ａを介してボンベ収容部２２に設けられている。また第二アーム８２の他端には割り溝８２ａが形成されており、この割り溝８２ａ内にピン６Ｃが挿入されて、連結部材６Ａに接続されている。
【００５２】
よって第二アーム８２が回動した場合に、ピン６Ｃが割り溝８２ａ内で回動軸部８２Ａに対して直径方向に移動することが可能となっている。このため、第二アーム８２が回動して燃焼室枠６が上下動する際に、ピン６Ｃに前記直径方向の力が加えられることはなく、好適に燃焼室枠６が上下動することが可能になっている。回動軸部８２Ａは、その軸方向が回動軸部８１Ａと上下方向の投影で見たときに略平行になるようにボンベ収容部２２内に配置されている。
【００５３】
ワークコンタクト９は、ボンベ収容部２２位置からノーズ部４の先端位置の間であってシリンダ５の下方に設けられており、当接部９１と、接触部材９２とを備えて構成されている。当接部９１は、テールカバー４１の近傍位置に配置され、ローラピン４２により上下方向に移動可能に保持されている。接触部材９２は、ボンベ収容部２２内に配置されており、ワークコンタクト９が上方へ移動した場合に第一コンタクトスイッチ１２と接触可能に構成されている。またワークコンタクト９とシリンダ５との間には、バネ９３が介在しておりワークコンタクト９を下方に付勢している。よってワークコンタクト９が上方に付勢されていない状態で当接部９１の下側先端部分は、釘１Ａの先端部分より下側まで突出している。尚バネ９３は弱いバネであるので、ワークコンタクト９はバネ９３の付勢力に抗い容易に上方に移動することが可能になっている。
【００５４】
上記構成の釘打機１において、釘１Ａを打設する際には、先ずノーズ部４の先端から突出している釘１Ａの先端を被打込材Ｗの所定の打込箇所に沿わせる。その後当接部９１を被打込材Ｗに当接させ、図３に示されるように、ワークコンタクト９を上方へ移動させる。この時に第一コンタクトスイッチ１２に接触部材９２が接触するため、第一コンタクトスイッチ１２からＯＮ信号が出力され、この信号がファンタイマー１１Ａ及びファン駆動回路１１Ｂで検出されてファン７２が回転する。その後トリガ３１を引くことにより、第一アーム８１と第一アーム８１に連結される第二アーム８２が回動し、第二アーム８２の割り溝８２ａ内のピン６Ｃが持ち上げられることにより燃焼室枠６が上昇して燃焼室２ａを画成すると共に押圧ロッド６Ｂを上昇させ、燃焼室２ａ内に可燃性ガスを噴射する。この可燃性ガスは燃焼室２ａ内においてファン７２により燃焼室内２ａの空気と攪拌されるため、燃焼室２ａ内には好適な混合気が形成される。
【００５５】
燃焼室２ａの画成と同時に、第二コンタクトスイッチ１３にトリガ３１が接触するため、第二コンタクトスイッチ１３からＯＮ信号が出力される。第一コンタクトスイッチ１２からもＯＮ信号が出力されているため、双方のＯＮ信号が点火回路１１Ｄで検出されて点火プラグ７３に通電し、混合気が燃焼し、ピストン５１を急激に下方へ移動させ、ブレード５２により釘１Ａを被打込材Ｗに打ち込む。
【００５６】
第一の実施の形態の変更例として、図４に示されるように、ボンベ収容部２２の下方であって連結部３１Ａの近傍にピニオン１３１Ａを有するモータ１３１を設けると共に、連結部３１Ａに上下方向に延びピニオン１３１Ａと噛合するラック３１Ｂを設けてもよい。
【００５７】
このモータ１３１は、作業者が指でトリガ３１をわずかに上動操作すると、図示しないスイッチがＯＮ動作となって駆動される様に構成されている。よってトリガ３１を引き、燃焼室枠６を上方へ移動させる際にモータ１３１による動力補助があるため、容易にトリガ３１を第二コンタクトスイッチ１３の位置まで引くことができる。
【００５８】
次に本発明の第二の実施の形態について、図５乃至図７に基づき説明する。第二の実施の形態に係る燃焼式動力工具である釘打機２０１は、主な構成が第一の実施の形態に係る釘打機１と同じである為、変更箇所のみ釘打機１の符号に２００を足して説明し、同一箇所については説明を省略する。
【００５９】
図５に示されるように、燃焼室枠６のハンドル３側位置には、ハンドル３側に向かって延びる押圧部２８１が固定されて設けられている。ボンベ収容部２２の下方には、押圧部２８１と接続された電磁ソレノイド２０８が配設されている。また、トリガ２３１の反第二コンタクトスイッチ１３側に伸びた連結部２３１Ａの下端側に傾斜面段差部２３１Ｂがあり、傾斜面段差部２３１Ｂに面して、トリガ２３１が上動開始時に当接しＯＮとなる位置に、制御回路２１１に接続されて電磁ソレノイド２０８に電圧を供給する燃焼室枠駆動用スイッチである第三コンタクトスイッチ２１４が設けられている。この第三コンタクトスイッチ２１４は、図６に示されるように、第一コンタクトスイッチ１２と直列結線されている。即ち、第三コンタクトスイッチ２１４と第一コンタクトスイッチ１２はＡＮＤ回路に接続されている。従って、第一コンタクトスイッチ１２が動作してＯＮ状態にならないと、第三コンタクトスイッチ２１４が傾斜面段差部２３１Ｂに当接しても、電磁ソレノイド２０８が動作することはない。なお上述した説明において、第一コンタクトスイッチ１２、第二コンタクトスイッチ１３、第三コンタクトスイッチ２１４は、それぞれ、請求項に記載される「ワークコンタクト用コンタクトスイッチ」、「トリガ動作感知用コンタクトスイッチ」、「開始感知用コンタクトスイッチ」に対応する。
【００６０】
また、燃焼室枠６の上昇ストローク上死点近傍の側面には、燃焼室枠６の上昇位置を検出する第四コンタクトスイッチ２１５が設けられている。図７に示されるように、燃焼室枠６が上死点まで移動して第四コンタクトスイッチ２１５に当接し、第四コンタクトスイッチ２１５がＯＮ状態になることにより、図６に示されるように、ファンモータ７１に駆動電圧を供給することが可能になっている。
【００６１】
第二の実施の形態における制御回路２１１は、図６に示されるように、第一の実施の形態の制御回路１１の構成に加え、燃焼室枠駆動タイマー２１１Ｅと、燃焼室枠駆動回路２１１Ｆとから構成されている。制御回路２１１において、ファンタイマー１１Ａは、第二コンタクトスイッチ１３と第四コンタクトスイッチ２１５との少なくとも何れか一方からのＯＮ信号に応じ、ファン７２を回転させるファンモータ７１の駆動に係る電力の供給時間を規定している。表示回路１１Ｃは、第二コンタクトスイッチ１３と第四コンタクトスイッチ２１５との少なくとも一方からのＯＮ信号に応じ、表示器２２Ｅを駆動している。点火回路１１Ｄは、第一コンタクトスイッチ１２〜第四コンタクトスイッチ２１５のすべてからのＯＮ信号に応じ、点火プラグ７３に駆動電力を供給している。燃焼室枠駆動タイマー２１１Ｅは、第一コンタクトスイッチ１２〜第四コンタクトスイッチ２１５のすべてからのＯＮ信号に応じ、点火プラグ７３に通電されてから所定の時間経過後に、燃焼室枠駆動回路２１１Ｆに信号を送っている。燃焼室枠駆動回路２１１Ｆは、第一コンタクトスイッチ１２と第三コンタクトスイッチ２１４との双方からの信号か、燃焼室枠駆動タイマー２１１Ｅからの信号かの何れかの信号に応じ、燃焼室枠６を駆動する電磁ソレノイド２０８に通電している。尚、燃焼室枠駆動回路２１１Ｆは、第一コンタクトスイッチ１２と第三コンタクトスイッチ２１４との双方からの信号が入力された場合に燃焼室枠６を上死点側に移動するように電磁ソレノイド２０８を駆動し、燃焼室枠駆動タイマー２１１Ｅからの信号が入力された場合に燃焼室枠６を下死点側に移動するように電磁ソレノイド２０８を駆動している。よって燃焼室２ａ内でガスが燃焼した後に、自動的に燃焼室２ａが開放されて燃焼室２ａ内の吸排気を行うことができる。
【００６２】
このような構成を採用することにより、トリガの動作のみで電磁ソレノイド２０８を駆動して燃焼室枠６を移動させ、燃焼室を画成することができる。よってワークコンタクト９と燃焼室枠６とを接続する必要が無くなり、ワークコンタクト９が動きやすくなる。これにより、図７に示されるように、釘１Ａを被打込材Ｗの所定の位置に配置する際、ワークコンタクト９が被打込材Ｗに当接するが、ワークコンタクト９は燃焼室枠６に接続されていない為、容易に移動して釘１Ａを正確に所定の位置に配置することができる。
【００６３】
第二の実施の形態では、原動機である電磁ソレノイド２０８により燃焼室枠６を移動しているが、この電磁ソレノイド２０８に代えて、図８に示されるように、ピニオン３８１を備えるモータ３０８を用いてもよい。この構成においては、燃焼室枠６を支持する連結部材６Ａにピニオン３８１と噛合するラック３０６Ｃを設け、ピニオン３８１を正転・反転することにより、ラック３０６Ｃと一体の燃焼室枠６を上下動させている。
【００６４】
また図９に示されるように、モータ４０８とモータ４０８により回動されるアーム４８１とを備えた構成であってもよい。アーム４８１は一端がモータ４０８の回転軸に固定され、他端に割り溝４８１ａが形成されており、この割溝４８１ａ内に連結部６Ａに形成されたピン４０６Ｃが挿入されている。よってアーム４８１が回動した場合に、ピン４０６Ｃが割り溝４８１ａ内でモータ４０８の回転軸の直径方向に移動することが可能である。このため、アーム４８１が回動して燃焼室枠６が上下動する際に、ピン４０６Ｃに前記直径方向の力が加えられることはなく、好適に燃焼室枠６が上下動することが可能になっている。
【００６５】
また図１０に示されるように、モータ５０８とモータ５０８により回動される第一アーム５８１と、第一アーム５８１と接続される第二アーム５８２とを備えた構成であってもよい。この構成において、第一アーム５８１は、モータ５０８の回動軸に固定されている。第一アーム５８１と第二アーム５８２との関係については、第一の実施の形態の変更例と同一であるので説明を省略する。
【００６６】
また図１１に示されるように、第一の実施の形態の変更例と同様に、ピニオン６８１を有するモータ６０８を設けると共に、連結部３１Ａに上下方向に延びピニオン６８１と噛合するラック６３１Ｂを設け、かつ連結部３１Ａに第一アーム６８２及び第二アーム６８３を接続する構成を採ってもよい。この構成おいて、トリガ２３１の上動開始を検知する第三コンタクトスイッチ２１４が設けられているため、使用者がトリガ２３１を引くと同時にモータ６０８が駆動され、トリガ２３１が自動的に引かれるとともに、燃焼室枠６を上昇させることができる。
【００６７】
次に第三の実施の形態について、図１２及び図１３に基づき説明する。図１２に示される釘打機７０１は、第二の実施の形態に係る図１０に示される釘打機２０１とほぼ同様の構成を採っているため、差違点のみ説明する。図１２、図１３に示されるように、釘打機７０１において、燃焼室枠６の側面に、連結部材６Ａと干渉しない位置で燃焼室枠６から下方に延びる一対の支持部７０６Ｄ、７０６Ｄが設けられており、一対の支持部７０６Ｄ、７０６Ｄの下端部側位置には、回動軸７８２Ａで軸支される第二アーム７８２と接続されるピン７０６Ｃ、７０６Ｃが設けられている。このピン７０６Ｃ、７０６Ｃは、燃焼室枠６の重心を通って上下方向と直交する方向に延びる仮想の直線上に配置されている。また図１３に示されるように、第二アーム７８２は、略Ｕ字状をなす一対の腕部７８２Ｂ、７８２Ｂを有し一対の腕部７８２Ｂ、７８２Ｂの先端にはそれぞれピン７０６Ｃ、７０６Ｃとの接続箇所となる割り溝７８２ａ、７８２ａが形成されている。第二アーム７８２は、燃焼室枠６と一体の支持部７０６Ｄ、７０６Ｄをその略Ｕ字の間に配置した状態でピン７０６Ｃ、７０６Ｃと接合されるが、ピン７０６Ｃ、７０６Ｃは燃焼室枠６の重心を通る線上に位置している為、ピン７０６Ｃ、７０６Ｃを介して上下動される燃焼室枠６に偏心が発生し難くなる。よって、モータ７０８により、燃焼室枠６が上下動される際に、燃焼室枠６を正確に上下動することができ、より安定して燃焼室を形成することができる。
【図面の簡単な説明】
【００６８】
【図１】本発明の第一の実施の形態に係る燃焼式動力工具の断面図。
【図２】本発明の第一の実施の形態に係る燃焼式動力工具の制御回路に係る回路図。
【図３】本発明の第一の実施の形態に係る燃焼式動力工具の断面図（トリガを引いた状態）。
【図４】本発明の第一の実施の形態に係る燃焼式動力工具の変形例に係る断面図。
【図５】本発明の第二の実施の形態に係る燃焼式動力工具の断面図。
【図６】本発明の第二の実施の形態に係る燃焼式動力工具の制御回路に係る回路図。
【図７】本発明の第二の実施の形態に係る燃焼式動力工具の断面図（トリガを引いた状態）。
【図８】本発明の第二の実施の形態に係る燃焼式動力工具の第一変形例に係る断面図。
【図９】本発明の第二の実施の形態に係る燃焼式動力工具の第二変形例に係る断面図。
【図１０】本発明の第二の実施の形態に係る燃焼式動力工具の第三変形例に係る断面図。
【図１１】本発明の第二の実施の形態に係る燃焼式動力工具の第四変形例に係る断面図。
【図１２】本発明の第三の実施の形態に係る燃焼式動力工具に係る断面図。
【図１３】本発明の第三の実施の形態に係る燃焼式動力工具の画成部材に沿った部分断面図。
【符号の説明】
【００６９】
１・・釘打機  １Ａ・・釘  ２・・ハウジング  ２ａ・・燃焼室  ３・・ハンドル
４・・ノーズ部  ５・・シリンダ  ５Ａ・・シール部  ５Ｂ・・バネ
５Ｃ・・排気逆止弁  ５Ｄ・・排気カバー  ５ａ・・孔  ５ｂ・・排気穴
６・・燃焼室枠  ６Ａ・・連結部材  ６Ｂ・・押圧ロッド  ７・・ヘッドキャップ
７Ａ・・シール部  ７ａ・・凹部  ７ｂ・・流路  ８・・画成部材
９・・ワークコンタクト  １０・・マガジン  １１・・制御回路
１１Ａ・・ファンタイマー  １１Ｂ・・ファン駆動回路  １１Ｃ・・表示回路
１１Ｄ・・点火回路  １２・・第一コンタクトスイッチ
１３・・第二コンタクトスイッチ  ２１・・主ハウジング  ２１ａ・・排気口
２２・・ボンベ収容部  ２２Ａ・・ガスボンベ  ２２Ｂ・・ノズル  ２２Ｄ・・回動軸
２２Ｃ・・Ｌ形レバー  ２２Ｅ・・表示器  ２３・・ヘッドカバー  ３１・・トリガ
３１Ａ・・連結部  ４１・・テールカバー  ４２・・ローラピン  ５１・・ピストン
５２・・ブレード  ５３・・バンパ  ７１・・ファンモータ  ７１Ａ・・回転軸
７２・・ファン  ７３・・点火プラグ  ８１・・第一アーム  ８１Ａ・・回動軸部
８２・・第二アーム  ８２Ａ・・回動軸部  ９１・・当接部  ９２・・接触部材
９３・・バネ
【図１】
0005240648.tif 000002
【図２】
0005240648.tif 000003
【図３】
0005240648.tif 000004
【図４】
0005240648.tif 000005
【図５】
0005240648.tif 000006
【図６】
0005240648.tif 000007
【図７】
0005240648.tif 000008
【図８】
0005240648.tif 000009
【図９】
0005240648.tif 000010
【図１０】
0005240648.tif 000011
【図１１】
0005240648.tif 000012
【図１２】
0005240648.tif 000013
【図１３】
0005240648.tif 000014